(57)【要約】【課題】ベッドからの掛布団のずれ落ちを防止する。【解決手段】長手方向に平行な一方の側に側方ガードを有するベッドにおいて、掛布団が他方の側からずれ落ちるのを防止するずれ落ち防止器具１００であって、側方ガード２０の頭側において掛布団３０の頭側を保持する頭側保持部と、側方ガード３０の足側において掛布団３０の足側を保持する足側保持部と、頭側保持部と足側保持部とを側方ガードの長手方向において連結し、側方ガードに係合する連結部材とを有する。【選択図】図１
2007296086.tif 000002
【特許請求の範囲】
【請求項１】
長手方向に平行な一方の側に側方ガードを有するベッドにおいて、掛布団が他方の側からずれ落ちるのを防止するずれ落ち防止器具であって、
側方ガードの頭側において掛布団の頭側を保持する頭側保持部と、
上記側方ガードの足側において上記掛布団の足側を保持する足側保持部と、
上記頭側保持部と足側保持部とを上記側方ガードの長手方向において連結し、上記側方ガードに係合する連結部材とを有する掛布団ずれ落ち防止器具。
【請求項２】
請求項１記載の掛布団ずれ落ち防止器具において、
頭側保持部と足側保持部とは共に、自由端部に掛布団を係止する係止部材を有することを特徴とする掛布団ずれ落ち防止器具。
【請求項３】
請求項２記載の掛布団ずれ落ち防止器具において、
係止部材が、掛布団の長手方向側方を挟持する挟持手段であることを特徴とする掛布団ずれ落ち防止器具。
【請求項４】
請求項３記載の掛布団ずれ落ち防止器具において、
係止部材をなす挟持手段の挟持部に滑り止めを有することを特徴とする掛布団ずれ落ち防止器具。
【請求項５】
請求項２記載の掛布団ずれ落ち防止器具において、
係止部材が、面ファスナであって、一方が、掛布団の被係止部に設けられていることを特徴とする掛布団ずれ落ち防止器具。
【請求項６】
請求項１〜５の任意の１に記載の掛布団ずれ落ち防止器具において、
頭側保持部と足側保持部と連結部材とが一体をなしてベルト状もしくは紐状であり、側方ガードの長手方向に沿わせて側方ガードと係合させて使用されることを特徴とする掛布団ずれ落ち防止器具。
【請求項７】
請求項１〜５の任意の１に記載の掛布団ずれ落ち防止器具において、
連結部材が棒状であって、側方ガードの長手方向に沿って、上記側方ガードに一体的に係合されることを特徴とする掛布団ずれ落ち防止器具。
【請求項８】
請求項６または７記載の掛布団ずれ落ち防止器具において、
連結部材が長さを調整可能であることを特徴とする掛布団ずれ落ち防止器具。
【請求項９】
請求項１〜５の任意の１に記載の掛布団ずれ落ち防止器具において、
側方ガードが連結部材を兼ね、頭側保持部と、足側保持部とが、側方ガードの頭側部位、足側部位にそれぞれ連結されることを特徴とする掛布団ずれ落ち防止器具。
【請求項１０】
請求項１〜９の任意の１に記載の掛布団ずれ落ち防止器具を有するベッド。
【発明の詳細な説明】
【技術分野】
【０００１】
この発明は、ベッドにおける掛布団ずれ落ち防止器具およびベッドに関する。
【背景技術】
【０００２】
病室用や介護用のベッドで、ベッドからの転落防止などのための側方ガードが知られている。側方ガードは通常、ベッド幅方向の左右両側にあるが、片方をはずすとベッドへの出入りが容易になるし、また、ベッドに寝た人を介護する場合には介護が容易になる。
【０００３】
しかし、側方ガードが片側にしかないと、就寝中に、掛布団が側方ガードのない側にずれ落ちやすい。
【発明の開示】
【発明が解決しようとする課題】
【０００４】
この発明は、ベッドからの掛布団のずれ落ちを防止することを課題とする。
【課題を解決するための手段】
【０００５】
この発明の掛布団ずれ落ち防止器具は「長手方向に平行な一方の側のみに側方ガードを有するベッドにおいて、掛布団が側方ガードの無い側からずれ落ちるのを防止するずれ落ち防止器具」であって、頭側保持部と、足側保持部と、連結部材とを有する。
【０００６】
「長手方向に平行な一方の側のみに側方ガードを有するベッド」は、ベッドの長手方向に平行な一方の側（通常、ベッド幅方向の一方の側）にのみ、側方ガードを固定的もしくは着脱可能に設けたベッド、あるいは、長手方向に平行な両側方に設けられている側方ガードの片側を取り外したベッドである。
【０００７】
頭側保持部は、側方ガードの頭側において掛布団の頭側を保持する。  
足側保持部は、側方ガードの足側において掛布団の足側を保持する。  
連結部材は、頭側保持部と足側保持部とを側方ガードの長手方向において連結し、側方ガードに係合する部材である。
【０００８】
従って、ベッド上に置かれた掛布団は、側方ガードのある側において、頭側を頭側保持部により保持され、足側を足側保持部で保持され、これら保持部は連結部材により側方ガードの長手方向において連結されて連結部材と共に一体となって側方ガードに係合するので、掛布団が「掛布団ずれ落ち防止器具により、長手方向に平行な一方の側方を側方ガードに掛け止められた状態となり、掛布団のずれ落ちが防止される。
【０００９】
頭側保持部、足側保持部による掛布団の保持形態は適宜の形態でよいが、頭側保持部と足側保持部とが共に「自由端部に掛布団を係止する係止部材」を有することができる(請求項２)。この係止部材は掛布団の長手方向側方を挟持する挟持手段であってもよい（請求項３）。係止部材をなす挟持手段は、その挟持部に滑り止めを有することができる（請求項４）。このように、挟持部に滑り止めを有することにより、掛布団をより確実に保持することができる。  
上記係止部材は、これをマジックテープ（登録商標）等の面ファスナとし、面ファスナの一方を掛布団の被係止部に設けることもできる（請求項５）。
【００１０】
請求項１〜５の任意の１に記載の掛布団ずれ落ち防止器具において、頭側保持部と足側保持部と連結部材とは、全体を一体としてベルト状もしくは紐状とし、側方ガードの長手方向に沿わせて側方ガードと係合させることができる（請求項６）。
【００１１】
また、連結部材を棒状とし、側方ガードの長手方向に沿って側方ガードと一体的に係合させ（請求項７）、棒状の連結部材の一端に頭側保持部、他端に足側保持部を固定的もしくは着脱可能に連結させてもよい。
【００１２】
請求項６または７記載の掛布団ずれ落ち防止器具は、連結部材が長さを調整可能であることができる（請求項８）。このように連結部材の長さを可調整にすると、長さの異なる側方ガードへの係合が容易であり、また、掛布団ずれ落ち防止器具による掛布団保持の緊緩を調整でき、寝心地のよい状態に保持することができる。
【００１３】
請求項９に記載の発明は、請求項１〜５の任意の１に記載の掛布団ずれ落ち防止器具において、側方ガード自体が連結部材を兼ね、頭側保持部と、足側保持部とが、側方ガードの頭側部位、足側部位にそれぞれ連結（固定的でも着脱可能でもよい。）されることを特徴とする。
【００１４】
請求項１０に記載の発明は、請求項１〜９の任意の１に記載の掛布団ずれ落ち防止器具を有するベッドである。
【発明の効果】
【００１５】
この発明によれば、長手方向に平行な一方の側のみに側方ガードを有するベッドにおいて、側方ガードの無い側に掛布団がずれ落ちるのを防止することができる。また、ベッドの片側には側方ガードが無いので、ベッドへの出入りが容易で、介護動作も容易である。
【発明を実施するための最良の形態】
【００１６】
図１に、発明の実施の形態を示す。  
図１（ａ）はベッド１０の斜視図、（ｂ）はベッド１０を上方向から見た図である。  
ベッド１０は頭側にヘッドレスト５０と長手方向に平行な片側に側方ガード２０を有しており、床部の上には頭側に枕４０が置かれ、床部を覆って掛布団３０が置かれている。掛布団ずれ落ち防止器具１００は、図１（ｂ）に示すように、側方ガード２０の裏側にそって長手方向に係合し、掛布団３０の頭側と足側を保持している。
【００１７】
図２を参照して、掛布団ずれ落ち防止器具１００を説明する。  
図２（ａ）は概観図、図２（ｂ）は（ａ）に示す掛布団ずれ落ち防止器具を簡略化して示す図である。
【００１８】
図２（ｂ）に示すように、掛布団ずれ落ち防止器具１００は、頭側保持部１２０Ａと足側保持部１２０Ｂと、両保持部を連結する連結部材１１０を有しており、図２（ｃ）示すように、頭側保持部１２０Ａは側方ガード２０のベッド頭側で掛布団３０を挟持し、足側保持部１２０Ｂは足側で掛布団３０を挟持する。連結部材１１０は一端に頭側保持部１２０Ａを固定的に有し、側方ガード２０のベッド外側（側方ガード２０の裏側）に掛けまわされ、他端側が掛布団３０の足側を挟持する足側保持部１２０Ｂに固定的に連結されている。
【００１９】
即ち、連結部材１１０は、頭側保持部１２０Ａと足側保持部１２０Ｂとを側方ガード２０の長手方向において連結し、側方ガード２０に係合して、掛布団３０の長手方向側方を側方ガード２０に係止した状態とする。
【００２０】
連結部材１１０は、図２（ａ）に示すように「ベルト状」であるが、これに限らず「ひも状」でもよい。  
図２（ｂ）に示すように、連結部材１１０には、連結部材１１０の長さを調節するための調節部１３０を有する。調節部１３０は「バックル等」を用いるスライド式のものやベルト孔係合式のもの等、公知の適宜の長さ調整手段を利用できる。
【００２１】
連結部材１１０の長さが調節可能であることにより、ベッド上で掛布団の動く範囲を調整できるので、掛布団３０をずれ落ちないように保持しつつ、掛布団による拘束感を緩和してよい寝心地を保つことができる。
【００２２】
頭側保持部１２０Ａと足側保持部１２０Ｂとは同一形状であり、頭側保持部１２０Ａを例にとって図２（ｄ）に示す。  
頭側保持部１２０Ａは、円弧状に曲げたスプリング１２１により、挟持部１２２を閉ざす弾性力を作用させ、つまみ部１２４の操作により挟持部１２２を開閉させて掛布団３０を挟む。
【００２３】
この例では、挟持部１２２の、掛布団３０と接する部分に、滑り止め１２３が設けられており、掛布団３０の保持をより確実なものとしている。滑り止め１２３は、この例では「ゴムのような掛布団に対してすべりにくい材質の薄片」を挟持部に貼り付けて設けているが、これに限らず、挟持部１２２の表面部分に「粗し処理」を施して粗面として形成してもよい。
【００２４】
図３に示す掛布団ずれ落ち防止器具２００は別の実施形態である。  
この実施形態は、頭側保持部２２０Ａと足側保持部２２０Ｂにマジックテープ（登録商標）を用いた例である。頭側保持部２２０Ａを例にとって説明すると、互いに係合しあうマジックテープ（登録商標）の一方ＭＧ１を頭側保持部２２０Ａに設け、他方ＭＧ２を掛布団３０の頭側の適当な場所に設ける。そしてこれらを互いに接合させて掛布団３０の頭側を保持する。足側保持部２２０Ｂも同様とし、互いに係合しあうマジックテープ（登録商標）の一方ＭＧ３を足側保持部２２０Ｂに設け、他方ＭＧ４を掛布団３０の頭側の適当な場所に設け、これらを互いに接合させることにより、掛布団３０の足側を保持する。
【００２５】
頭側保持部２２０Ａと足側保持部２２０Ｂとは、掛布団を保持できるものであればよく上記マジックテープ（登録商標）以外に、ボタンやホックを用いてもよく、これらは係合する一方を掛布団や掛布団カバーに直接縫い付けるなどして設けてもよい。
【００２６】
図４に示す実施の形態は、連結部材を棒状の固い素材で形成した例である。連結部材は、頭側保持部３２０Ａを有する頭側連結部材３１０Ａと、足側保持部３２０Ｂを有する足側連結部材３１０Ｂを、長手方向に一部重なるように組合せ、調節部３３０で両者を一体とするように連結し、全体の長さを調整できるようにしている。このような長さ調整は、複数の棒状体を組合せて全体の長さを調整する公知の適宜の機構を利用できる。
【００２７】
頭側連結部材３１０Ａの頭側には、やわらかい素材による「ひも状あるいはベルト状」の連結部材３４０Ａの一端が固定的もしくは着脱可能に設けられ、この連結部材３４０Ａの他端部に、掛布団の頭側側方を保持する保持具３２０Ａが設けられている。連結部材３４０Ａと保持具３２０Ａとは頭側保持部を構成する。
【００２８】
同様に、足側連結部材３１０Ｂの足側には、やわらかい素材による「ひも状あるいはベルト状」の連結部材３４０Ｂの一端が固定的もしくは着脱可能に設けられ、この連結部材３４０Ｂの他端部に、掛布団の足側側方を保持する保持具３２０Ｂが設けられている。連結部材３４０Ｂと保持具３２０Ｂとは足側保持部を構成する。
【００２９】
図５は、側方ガード２０が掛布団ずれ落ち防止器具の連結部材を兼ねる例である。  
連結部材を兼ねる側方ガード２０の頭側には、やわらかい素材による「ひも状あるいはベルト状」の連結部材４１０Ａの一端部４３０Ａが固定的もしくは着脱可能に設けられ、この連結部材４１０Ａの他端部に、掛布団３０の頭側側方を保持する保持具４２０Ａが設けられている。連結部材４１０Ａと保持具４２０Ａとは頭側保持部４００Ａを構成する。
【００３０】
同様に、連結部材を兼ねる側方ガード２０の足側には、やわらかい素材による「ひも状あるいはベルト状」の連結部材４１０Ｂの一端部４３０Ｂが固定的もしくは着脱可能に設けられ、この連結部材４１０Ｂの他端部に、掛布団の頭側側方を保持する保持具４２０Ｂが設けられている。連結部材４１０Ｂと保持具４２０Ｂとは頭側保持部４００Ｂを構成する。
【００３１】
頭側保持部４００Ａ、足側保持部４００Ｂと一体化した側方ガード２０は、ベッド本体と一体化していてもよい。
【図面の簡単な説明】
【００３２】
【図１】掛布団ずれ落ち防止器具の使用例を説明するための図である。
【図２】掛布団ずれ落ち防止器具の１例を説明するための図である。
【図３】掛布団ずれ落ち防止器具の別の例を説明するための図である。
【図４】掛布団ずれ落ち防止器具の他の例を説明するための図である。
【図５】側方ガードと掛布団ずれ落ち防止器具を一体化した例を説明するための図である。
【符号の説明】
【００３３】
１０      ベッド
２０      側方ガード
３０      掛布団
１００      掛布団ずれ落ち防止器具
１１０      連結部材
１２０      保持部
【図１】
2007296086.tif 000003
【図２】
2007296086.tif 000004
【図３】
2007296086.tif 000005
【図４】
2007296086.tif 000006
【図５】
2007296086.tif 000007